(57)【特許請求の範囲】
【請求項１】
-上面(7)と、底面(9)と、側面(11,12,14)と、上面に予め形成された第１の取り出しアパーチャー(13)と、第１の取り出しアパーチャーを包囲するカバー部材(15)とからなるティッシュ(5)の堆積物を収容する可撓性パウチと、
-パウチに取り外し可能に取り付けるための取り付け手段(18,33,35,37,40,41,43,45,47,55,56,59,60)からなる比較的硬質の反復使用が可能な取り出しデバイス(17)とからなり、
カバー部材(15)は、第１の取り出しアパーチャー(13)から完全に取り外し可能であり、
パウチの上面(7)はシール区域(21)を有し、このシール区域は第１の取り出しアパーチャー(13)の周囲の実質的に閉じた形状を形成し、
取り出しデバイス(17)は、
-第２の取り出しアパーチャー(25,46,49,50)を有する底部材(23,39,47,56,58)、
-パウチのシール区域(21)とシール態様で係合するための接続区域(27,47,56,58)、および、
-底部材(23,47,56,58)と接触することによって、第２の取り出しアパーチャー(25,46,49,50)をシール態様で閉鎖するための閉鎖部材(29,32,36,38,51,55,60)、
に特徴を有するパッケージ。
【請求項２】
パウチが濡れた払拭材を保持し、カバー部材(15)が接着性ラベルからなる請求項１記載の包装体。
【請求項３】
パウチ(3)が、第１の取り出しアパーチャー(13)の近傍におけるパウチの上面(7)を通る少なくとも２つのスリット(30,31)とからなり、スリットは、好ましくは、使用前のカバー部材(15)によって包囲され、
取り出しデバイス(17)は、スリット(30,31)を通って挿着された後、パウチの上面(7)の方向にほぼ延出し、取り出しデバイス(17)を回動する際にパウチの上面(7)とクランプ態様で係合するための２つの突出物(33)からなる請求項１または２記載の包装体(1)。
【請求項４】
取り出しデバイス(17)が、第１の取り出しアパーチャーを通して挿着された後、パウチ(3)の第１の取り出しアパーチャー(13)のエッジを越えて延出する外径を備えるフランジ(37,40)からなる請求項１または２記載の包装体。
【請求項５】
取り出しデバイス(17)の底部材が、フランジ(37,40)に取り付けられた環状隆起部(23,39)からなり、隆起部(23,39)が、第１の取り出しアパーチャー(13)を収容するための円周状溝(18,41)からなる請求項４記載の包装体。
【請求項６】
取り出しデバイス(17)が、パウチの底面(9)と係合するための下部材(43)からなるほぼＵ字状クランプ部材(42)と、横断部材(45)と、横断部材に取り付けられた底部材(47)とからなり、パウチ(3)が、底部材(47)と下部材(43)の間でクランプされる請求項１または２記載の包装体。
【請求項７】
横断部材(45)が、下部材(43)と底部材(47)との間の距離に適合するためのヒンジ部材(49)からなる請求項６記載の包装体。
【請求項８】
パウチ(3)が、取り出しデバイス(17)に取り外し可能に取り付けるために、パウチの上面(7)の下に設けられた補強層(52)からなり、補強層(52)が、パウチ(3)の上面(7)にある第１の取り出しアパーチャー(13)と軸線を共有する別の取り出しアパーチャーからなる先行請求項のいずれか１記載の包装体。
【請求項９】
パウチの面(7,11,12,14)の少なくとも１つが、シール性のスリット(53)からなり、底部材(47)は、スリット(53)を通って払拭材(5)とパウチ(3)の上面(7)の間に挿着することができる請求項１または２記載の包装体。
【請求項１０】
取り出しデバイスが、パウチの上面(7)と境界が一致する底部材(47)とパウチの側面(11,12,14)を少なくとも部分的に包囲する側面(59,60)とからなり、取り出しデバイスがパウチ(3)の底面(9)と係合するための底面を備えていない請求項１または２記載の包装体。
【請求項１１】
パウチ(3)のシール区域(21)が、取り出しデバイス(17)の接続区域(27,47,56,58)とシール態様で取り外し可能に係合するための第１の取り出しアパーチャー(13)を包囲する接着剤(61)の層からなる先行請求項のいずれか１記載の包装体。
【請求項１２】
取り出しデバイスが、パウチ(3)の底面(9)と収縮して係合するための弾性部材からなる先行請求項のいずれか１記載の包装体。
【請求項１３】
取り外し可能に可撓性パウチに取り付けるための取り付け手段と、第２の取り出しアパーチャーを有する底部材と、パウチのシール区域とシール態様で係合するための接続区域と、底部材を収縮することによって第２の取り出しアパーチャーをシール態様で閉じるための閉鎖部材とからなる先行請求項のいずれか１記載のパッケージに使用する取り出しデバイス(17)。
【請求項１４】
パウチが、上面と、上面に予め形成した取り出しアパーチャーと、取り出しアパーチャーを包囲するカバー部材とを基本に成り立ち、
カバー部材は取り出しアパーチャーから完全に取り外し可能であり、
シール区域が、実質的に硬質の取り出しデバイスに取り外し可能に取り付けるために取り出しアパーチャーの周囲に実質的に閉じた形状を形成する請求項１−１０記載の包装体に使用する可撓性パウチ。
【発明の詳細な説明】
発明の技術分野
この発明は、
-ティッシュの積層体を収容する可撓性パウチであって、上面と、底面と、側面と、前記上面に形成された予め形成された第１の取り出しアパーチャーと、前記第１の取り出しアパーチャーを包囲するカバー部材、および、
-パウチにレリース可能に取り付けるための取り付け手段からなる比較的硬質な反復使用可能な取り出し用デバイスからなるパッケージに関する。
この発明はまた、反復使用可能な分配用デバイス、および、そのようなパッケージに使用する可撓性パウチにも関連する。
発明の背景
可撓性パッケージと反復使用可能な取り出し用デバイスはヨーロッパ特許EP-B-0 251 103号によって知られている。この文献には、可撓性パウチが湿ったまたは濡れた払拭材(wipes)の容器として開示されている。このパウチは、予め形成された取り出し用アパーチャーと、一方の端部がパウチに永久的に取り付けられ、パウチの開口、閉口を反復するための接着性ラベルとからなる。パウチが殆ど空になったときでもパウチの形状を維持するために、および、パウチの接着性ラベルを適切に閉鎖することができるように、パウチは形状維持部材に接続される。この形状維持部材は、パウチの側面と上面の周辺にフィットする把持フレームのカードボード製コンテナーの形態を取ることができる。
上に述べたシステムは、可撓性のあるパウチを接着性ラベルによって接着閉鎖しても、必ず水密にはなるとは限らないという不利な点を有する。パウチが移送されるときは、使用者の荷物の間で締め付けられるかもしれず、また、取り出し用アパーチャーが、その上下が逆転した状態で輸送されるかもしれない。接着性ラベルに沿って、アパーチャーから液漏れが発生する可能性もある。
さらに、パウチの接着蓋は、例えば、ベビーパウダーやローションによる汚染を受ける。既知の接着性ラベルは、これらの物質と接触すると接着による閉口力を失う。
結局は、反復使用が可能な接着性ラベルは、ラベルの一部をパウチに永久的に取り付けるための特別な取り付け手段と、剥離自在な接着剤、および、パウチの接着剤を容易に剥離できる面を必要とする。
ティッシュペーパーを収容する可撓性パッケージと取り出しが容易でパウチを確実に閉鎖できる反復使用可能な取り出しデバイスを提供することがこの発明の目的の１つである。
濡れた払拭材を収容する可撓性パッケージとパウチを水密状態に閉鎖することができる反復使用可能な取り出しデバイスを提供することがこの発明の他の目的の１つである。
汚染に対する抵抗性のある可撓性パウチの閉鎖部材を提供することがこの発明の他の目的の１つである。
比較的簡素な構造を備え、省コスト的な、ティッシュを収容するパウチを提供することがこの発明の他の目的の１つである。
発明の概略
この発明のパッケージは、パウチ内の取り出しアパーチャーから完全に取り外すことができるカバー部材を有する。パウチの上面は、シール区域を有し、この区域はパウチの上面にある第１の取り出しアパーチャーの周辺を実質的に閉鎖する構造を形成する。比較的硬質の素材の反復使用が可能な取り出しデバイスは、
-第２の取り出しアパーチャーを有するベース部材、
-パウチのシール区域をシールするように係合する接続区域、および、
-ベース部材と接触することによって前記第２の取り出しアパーチャーをシールするように閉鎖する閉鎖部材、
を備える。
ベース部材と閉鎖部材または蓋からなり、可撓性パウチの取り出しアパーチャーに取り付けられた取り出しデバイス上にある硬質素材の別体の閉鎖部材を設けることによって、パウチ内の取り出しアパーチャーの適切なシールが達成される。可撓性パウチのカバー部材がパウチ内の取り出しアパーチャーから完全に取り外されるので、このカバー部材は簡素な構造であることができる。パウチが乾いたティッシュを収容する場合は、カバー部材は、パウチの上面にある閉じた脆弱線によって形成される。このカバー部材を取り除いた後、取り出しデバイスがアパーチャーをシールして、開いたパウチに埃や異物が侵入することを防止する。乾燥ティッシュに芳香が付与されている場合は、取り出しデバイスによって形成された閉鎖部材が、ティッシュの香水が蒸発することを防止する。
パウチが湿ったまたは濡れたティッシュを収容する場合は、カバー部材が１つの接着性ラベルを有し、このラベルはパウチから完全に取り外すことが可能である。そのような場合は、ラベルの一方の端部をパウチに永久的に固着する特別な手段は不要である。さらに、パウチのラベルに付与する反復接着が可能な剥離自在の接着剤も必要としない。
取り出しデバイスの硬質で接着性のない性質によって、取り出しデバイスは水密に閉鎖することができ、汚染を受けることがない。
この発明のパッケージの１具体例は、第１の取り出しアパーチャーの近傍において、パウチの上面を貫通する少なくとも２つのスリットを備えるパウチで構成される。これらのスリットは、パウチの内容物が使用される前に、例えば接着性ラベル、のようなカバー部材によってカバーされ、パウチの内容物を最初の第１回目に使用する際し、カバー部材を取り去ることが好ましい。取り出しデバイスは、前記２つのスリットを通して挿着する際にほぼパウチの上面の方向に延出し、取り出しデバイスを回動する際にパウチの上面をクランプする態様でこれと係合する２つの突出部で構成される。この取り出しデバイスは可撓性パウチに容易にねじ込むことができ、取り出しデバイスのベース部材とパウチの素材との間に密閉状態をもたらす。
この発明のパッケージの別の具体例は、挿着後パウチの取り出しアパーチャーの周囲を越えて延出する外径を備える１つのフランジを有する取り出しデバイスからなる。取り出し装置のフランジは、パウチの可撓性によって、その外径が取り出しアパーチャーよりも大きいにもかかわらず取り出しアパーチャー内に挿着され、ここに係止されることができる。取り出しアパーチャーと同様な大きさを持つ環状隆起部が前記フランジに取り付けられ、パウチ上面に対して直角に延出することが好ましい。この環状隆起部は、取り出しアパーチャーのエッジとシール態様で係合する円周状の溝を有する。この硬質な環状隆起部は、タオルを取り出す際にこれと摩擦係合して、タオルがパッケージから引き出されるときこれを広げるように助成する。
再び、この発明のパッケージの別の具体例において、取り出しデバイスは、パウチの下面と係合させるための下部材と、横断部材と、前記横断部材に取り付けられた底部材とからなるほぼＵ字状クランプ部材によって形成される。使用に際しては、パウチは、底部材と下部材の間にクランプされる。前記Ｕ字状クランプ部材の可撓性クランプ力によって、取り出しデバイスの底部材は、パウチの上面とシール態様で係合する。パウチの内容物を空にする際、パウチの厚さが減少する場合でも、底部材と上面とのシール係合は維持される。この目的で、横断部材は、湿った払拭材またはティッシュを取り出す際に発生する寸法の変動を、底部材が前記Ｕ字状取り出し部材に近付くことによって吸収するためのヒンジを具備することができる。パウチの底部材と収縮態様で係合する弾性部材を設けることによっても同じ効果が得られる。
再び、別の具体例において、可撓性パウチは、両側面の１つまたは上面にあるシール性の１つのスリットからなり、このスリットを通して、取り出しデバイスの底部材をティッシュとパウチの上面の間に挿入することができる。この取り出しデバイスは、取り出しデバイスを閉じる際に、パウチの上面にあるアパーチャーと底部材を支えるアパーチャーに挿着されるプラグを有する。パウチの上面は、プラグと底部材の間でシール態様でクランプされる。そのような取り出しデバイスは、ユーザーによって容易にパウチに取り付けることができる。
再び、この発明のパッケージの別の具体例において、取り出しデバイスは、底面のない硬質な容器の上の半分を形成する。パウチの素材は、この容器の可撓性の下の半分を形成する。
シールを適切に行うために、パウチのシール区域は、取り出しデバイスの接続区域をシール態様でパウチの上面に取り付けるために、感圧性に優れた接着剤で覆われてもよい。使用に先立って、シール区域は、パウチの上面にある取り出しアパーチャーをカバーする接着性ラベルによって覆われてもよい。
【図面の簡単な説明】
この発明は、添付図面を参照しつつ詳細に説明される。添付図面中、
第１図は、取り出しデバイスを可撓性パウチに取り付ける以前のこの発明のパッケージの斜視図であり、
第２図は、取り出しデバイスをパウチに取り付けた後のパッケージの斜視図であり、
第３図は、取り出しデバイスがフランジを有し、パウチが補強層を備えるパッケージの横断面図であり、
第４図は、回動閉鎖部材を有する取り出しデバイスの１具体例を示し、
第５図は、スライド閉鎖部材を有する取り出しデバイスの１具体例を示し、
第６図は、スクリュー型取り出しデバイスの斜視図を示し、
第７図は、第６図に示す取り出しデバイスに取り付けるための可撓性パウチの上面の断面図を示し、
第８図は、パウチがその両側面の１つにシール性スリットを備える場合のパッケージを示し、
第９図および第１０図は、可撓性パウチの上面と両側面の一部を覆う取り出しデバイスを示し、
第１１図および第１２図は、それぞれ、取り外された状態およびパウチに取り付けた後のクランプ状取り出しデバイスを示す。
発明の詳細な説明
第１図は、可撓性パウチ３と反復使用可能な取り出しデバイス１７とで構成されるパッケージ１を示す。可撓性パウチ３は濡れた払拭材のようなティッシュの堆積物５を収容し、今の場合、接着性ラベル１５によって形成されたカバー部材によって覆われている。接着性ラベル１５は、パウチ５の上面内のカット部または脆弱線によって形成されることができる予め形成された取り出しアパーチャー１３に取り付けられる。ラベル１５をすっかり取り外すことによって、パウチ５を開口した後、取り出しデバイス１７は、第２図に示すように、取り出しアパーチャー１３内に挿着される。濡れた払拭材５は、この取り出しデバイス１７を通して取り出すことができ、この取り出しデバイスあ閉鎖部材２９によってシール態様で閉じることができる。
用語「濡れた払拭材」とは、少なくとも５０重量％の水分を含有する、ティッシュ、タオルまたは繊維素材シートのすべてを意味するものとする。繊維とは、セルロース繊維のような天然繊維または合成繊維またはこれらの混合素材である。好ましいティッシュは、Suominen社から入手できるポリプロピレン繊維５０％、ビスコース繊維５０％の混合物(P.O.Box 25,29251 Nakkila,Finland,商品名Fibrella 3100G2.として)からなる。ティッシュ５に含まれる水分は、重量比にして９５％が水で、スキンケア成分、安定剤、清浄剤および香水を含む水ベースのローションである。
パウチ３内のティッシュはまた、「乾燥ティッシュ」すなわち含有重量水分率５０％以下のティッシュでもよい。
水分の代わりに、またはこれに、ティッシュは、研磨材粒子や家具磨き剤のような固体、液体を加えてもよい。パウチ３は可撓性の素材から作られる。用語「可撓性」とは、取り出しデバイスの挿入時に、伸長、折り曲げまたはその他の屈撓によって変形するシート状素材を意味するものとする。可撓性パウチを製造するための適切なシート素材は、厚さ１２ミクロンと１００ミクロンの間の均質なフィルム、または、ポリエチレン、ポリプロピレン、ポリエチレンテレフタレート、アルミニュームとその化合物のラミネートである。可撓性パウチ３は、連続して移動するパウチ素材のウエブから先ず、パウチ素材のウエブに予め形成された取り出しアパーチャー１３を切断し、次に、接着性ラベル１５を前記の予め形成された取り出しアパーチャーに取り付け、濡れた払拭材の堆積物をウエブ上に載置し、前記ウエブをその長手方向折り曲げ線に沿って、前記払拭材を包み込むように筒状構造に折り曲げることによって安価に製造することができる。その後で、パウチ素材の重なり部分に長手方向シームが形成され、前面と後面１２、１４が熱シールを施されて切断される。パウチが乾燥ティッシュを収容する場合は、接着性ラベルは省略することができ、取り出しアパーチャーは、脆弱穿孔列によってパウチ素材中に形成される。
取り出しアパーチャー３は、閉じた切断線を設け、切断線の内側においてパウチ素材を取り除くことによって形成される。好ましい具体例においては、パウチ素材が閉じた切断線の内側に残留しており、接着性ラベル１５に取り付けられている。このように、ラベル１５の接着性面は一番上側にある払拭材には接触することがなく、最初の使用に供される前のパウチの水密性が保証される。パウチを開く際に、取り出しアパーチャー１３の区域内でパウチ素材だけが取り除かれること、および、取り出しアパーチャーの近傍においてはパウチ素材が裂けたり損傷を受けないことが重要である。取り出しアパーチャーを包囲するパウチの上面はこうして、反復使用が可能な取り出しアパーチャーと接触するためのシール区域２１を形成する。用語「シール区域」とは、取り出しアパーチャーを包囲するパウチ上面の実質的に連続する区域を意味するものとする。反復使用が可能な取り出しデバイス１７を挿着するのに便利なように、一組の切断線８、１０が設けられる。
ラベル１５の適切な接着剤は、タイプ番号MacTac Mp 318およびMacTac Mr 980の下に、MacTac Europe S.A.,Bd.Kennedy,B-7060 Soignies,Belgiumから入手できる。このラベル１５は、パウチ３の上面から容易に剥離することができるように、永久的な取り付け区域を備えてはいない。ラベル１５は、ラベル１５を剥離する際に、取り出しデバイスが、パウチ素材と取り出しデバイスとの間でシール性の閉鎖状態をもたらすように、パウチの上面のシール区域に取り付けられたまま残留するような接着剤を備える。
反復使用可能な取り出しデバイス１７は比較的硬質である。用語「硬質１」とは、取り出しデバイスをパッケージ内へ挿着するとき、および／またはデバイスを開閉するとき、取り出しデバイスの形状が実質的に不変であることを意味するものとする。しかしながら、デバイスをパウチの取り出しアパーチャー内へ容易に挿着することができるように、多少の可撓性を有する諸部分が取り出しデバイスに設けられる。例えば、取り出しデバイスは、薄いプラッスチックまたはゴム製の可撓性フランジを備えることができ、このフランジは、これをパウチに挿着するときに変形し、挿着した後に原形を回復する。適切な取り出しデバイスは、射出成形、ブロー成形、または熱可塑性の形成によるポリエチレン、ポリプロピレンのような広範な素材から製造され、０．５mmと１．０mmの間の壁厚を備えることができる。
取り出しデバイス１７は、デバイス１７をパウチのシール区域２１に取り付けるための取り付け手段、この具体例においてはフランジ３７と円周状の溝１８とによって形成された取り付け手段を有する。フランジ３７は、取り出しアパーチャー、すなわち、取り出しアパーチャー１３の近傍にある上面７の内側面によって形成されるパウチのシール区域を通って挿着することができる。フランジ１３は、パウチ３のシール区域２１と接触する取り出しデバイス上の接続区域２７を形成する。取り出しデバイス１７は、この場合、取り出しアパーチャー１３の周囲とシール態様で係合するための円周状の溝１８を有する環状隆起部によって形成された底部材２３を有する。底部材２３内の取り出しアパーチャー２５は、裏返しになる上蓋のような閉鎖部材２９によってカバーされる。
第３図は、パウチ３の上面の下に、比較的硬質な素材の挿着部材５２のような補強層が設けられる具体例の横断面図を示す。この挿着部材は、０．７mmと１mmの間の厚さを持つポリエチレンの層によって形成され、底部材２３の環状隆起部の円周状溝１８とシール態様で係合する。
取り出しデバイス１７の閉鎖部材として、第３図の裏返しになる上蓋２９を用いる代わりに、固定蓋が採用されフランジ３７を省略しても差支えない。こうして、ティッシュを取り出すときに、その全体が補強部材５２から取り除くことができるプラグが形成される。
第４図は、取り出し部材１７の閉鎖部材が回動可能な部材３２によって形成され、直立する環状隆起部３９のアパーチャーの区域内に設けられる具体例を示す。部材３２は、グリップノッチ３４を操作することによって回動される。第４図の取り出しデバイスは、フランジ４０と環状溝４１とからなる。
第５図は、パウチの上面７の長方形の取り出しアパーチャー１３と実質的に係合し、２つのスライド閉鎖部材３６、３８を有する取り出しデバイス１７を示す。
第６図は、底部材２３の底部における２つの突出部３３からなる取り出しデバイス１７を示す。突出部３３は、第７図に示すようにパウチの上面７における一組のスリット３０、３１内に挿着することができる。取り出しデバイスを回動する際は、パウチ素材は突出部３３の間でクランプされる。各突出部３３の端部は、取り出しデバイス１７を固定位置に維持するためにパウチ内における孔３５、４８と係合して、デバイス１７がパウチ３から離脱することを防止するノッチを備える。
第８図は、その側面１１にスリット５３を備えるパウチ３を示す。スリット５３は、接着性ラベル５７によって覆われており、ラベル５７は融着線５４に沿って側面１１に永久的に取り付けられている。取り出しデバイス１７は、取り出しアパーチャーと、取り出しアパーチャー内に適合するプラグ５５を備えるフラットな底板５６とで構成される。パウチ３を最初に使用するときは、取り出しアパーチャー１３が広げられ、ラベル５７がスリット５３から引き離され、底板５６が、スリット５３を通って、一番上の濡れた払拭材とパウチの上面７の間に挿着される。その後、スリット５３は再び閉鎖される。この具体例においては、取り出しデバイス１７のための取り付け手段が、プラグ５５の比較的大きな上部と底板５６によって形成される。プラグ５５を底板５６内に挿入するに際し、パウチのシール区域におけるパウチ素材は上部のプラグ５５と底板５６の間でクランプされる。
１つの代替具体例においては、底板５６はパウチ３の上面７内のスリットを通して挿着される。再び、代替例において、底板５６は、製造業者によってパウチ３内に挿着される廃棄可能な底板でもよく、反復使用が可能な取り出しデバイスは、反復使用可能なプラグ５５のみからなる。
第９図、第１０図は、取り出しデバイス１７がパウチ３の上面７と重なって適合するカバー５８によって形成されるこの発明の可撓性パウチ３の１具体例を示す。カバー５８の両側面５９、６０は、パウチ上でカバーをクランプし、これを定位置に保持する。両側面５９、６０は、取り出しデバイスが硬質容器の上半分を形成するように、パウチの両側面全体に沿って延出し、パウチの底面が容器の底半分を形成する。接着区域６１は、パウチのシール区域２１において取り出しアパーチャー１３の周囲に配置されており、カバー５８とシール態様で接触する。適切な接着剤は、タイプ番号H-4031の下に、Findley Euro B.K.,P.O.Box 180,4700 AD Roosendaal,NLから入手できる。もし、シールの水密性が必須不可欠でなければ、これに替えて、ベルクロ（登録商標名）素材のような機械的ファスナーを用いることができる。第１０図に示すように、内容物を取り出すためにパウチ３の高さが減少するとき、上面７とカバーの間のシール態様の接触を維持するために、弾性部材６２がカバー５８に接続されてもよい。
第１１図および第１２図は、Ｕ字状クランプ部材４２によって形成された取り出しデバイス１９を示す。このクランプ部材４２は、下部材４３と横断部材４５に対して直角に延出する底部材４７とからなる。部材４３、４７の両自由端部は、互いに向かって僅かながら湾曲しており、パウチ３の周囲に適合する。底部材４７と下部材４３は可撓性を備え、第１２図に示すように、パウチ３の周囲に別体で適合することができる。底部材４７は、蓋５１からなり、この蓋は取り出しアパーチャー１３に重なってシール態様で閉じられる。このクランプ構造体の可撓性が、底部材４７とパウチ３の間のシール態様の閉鎖が達成されるように、底部材４７をパウチ３の上面７のシール区域と向き合って押圧する。
クランプ部材４２のための適切な素材はポリプロピレン、ポリスチレンまたはポリエステルである。ヒンジ部材４９は、Ｕ字状クランプ部材内に設けられる。
【図１】
0003706141.tif 000002
【図２】
0003706141.tif 000003
【図３】
0003706141.tif 000004
【図４】
0003706141.tif 000005
【図５】
0003706141.tif 000006
【図６】
0003706141.tif 000007
【図７】
0003706141.tif 000008
【図８】
0003706141.tif 000009
【図９】
0003706141.tif 000010
【図１０】
0003706141.tif 000011
【図１１】
0003706141.tif 000012
【図１２】
0003706141.tif 000013